(57)【要約】【課題】釘間隔を迅速にかつ確実に設定することができるとともに、遊技機を移動した場合にあっても、遊技機の効率的な管理を実現して、営業戦略等を策定するに資する遊技機管理システム及び釘間隔データ照合装置を提供する。【解決手段】管理番号Ａを検出する管理番号検出部７と、障害釘１３，１３の間隔Ｄを測定する釘間隔測定部８と、からなる釘間隔測定装置２と、管理番号データ、釘間隔データを記憶するとともに、記憶した管理番号データ、釘間隔推奨値データと照合し、釘間隔Ｄが釘間隔推奨値を基準として許容範囲内になるよう指令する釘間隔データ照合装置３と、管理番号データ、釘間隔データ、各遊技機９の出玉データ等を記憶し、これらを演算、処理する中央管理制御装置４と、から遊技機管理システム１を構成する。【選択図】              図１
2004254778.tif 000002
【特許請求の範囲】
【請求項１】
遊技機に付された管理番号を検出する管理番号検出部と、遊技機の遊技盤に配設された障害釘の間隔を測定する釘間隔測定部と、からなる釘間隔測定装置と、
前記管理番号検出部によって検出された管理番号データ、前記釘間隔測定部によって測定された釘間隔データを記憶するとともに、後記中央管理制御装置から取得して記憶した管理番号データ、釘間隔推奨値データと照合し、画面に所定表示をすることによって釘間隔が釘間隔推奨値を基準として許容範囲内になるよう指令する釘間隔データ照合装置と、
遊技店の所定場所に設置されて、複数の遊技機から構成される島を管理する各中間管理制御装置と種々データを送受信するとともに、管理番号データ、釘間隔データ、各遊技機の出玉データ等を記憶し、これらを演算、処理する中央管理制御装置と、
から構成される遊技機管理システム。
【請求項２】
前記管理番号は、２次元コードによって表記され、管理番号シールに印刷されたものであることを特徴とする請求項１に記載の遊技機管理システム。
【請求項３】
前記管理番号は、ＲＦＩＤタグに記憶されたものであることを特徴とする請求項１に記載の遊技機管理システム。
【請求項４】
前記釘間隔データ照合装置と前記中央管理制御装置とのデータの遣り取りは、通信によって行うものであることを特徴とする請求項１乃至３に記載の遊技機管理システム。
【請求項５】
前記釘間隔データ照合装置と前記中央管理制御装置とのデータの遣り取りは、メモリカードを介して行うものであることを特徴とする請求項１乃至３に記載の遊技機管理システム。
【請求項６】
釘間隔測定装置によって検出された管理番号データ、釘間隔測定装置によって測定された釘間隔データを記憶するとともに、中央管理制御装置から取得して記憶した管理番号データ、釘間隔推奨値データと照合し、画面に所定表示をすることによって釘間隔が釘間隔推奨値を基準として許容範囲内になるよう指令することを特徴とする釘間隔データ照合装置。
【発明の詳細な説明】
【０００１】
【発明の属する技術分野】
本発明は、パチンコ機等の遊技機を適切に管理することができる遊技機管理システム、特には、遊技盤に配設された障害釘の間隔設定値と遊技機の出玉率との相関関係を把握して、営業戦略に迅速に反映できるとともに、パチンコホール等の遊技店内で遊技機の位置を適宜変更する際にも、遊技機を適切に管理することができる遊技機管理システム及び釘間隔データ照合装置に関する。
【０００２】
【従来の技術】
従来、パチンコホール等の遊技店におけるパチンコ機等の遊技機の出玉率を管理する遊技機管理システムとしては種々のものが知られている。例えば、釘間隔測定装置によって測定した障害釘の間隔データを中央管理制御装置に送信し、出玉データとともに画像表示装置等に表示させて比較することによって、遊技店の営業戦略等を策定できるようにしたものが知られている（例えば、特許文献１参照。）。
【０００３】
又、遊技店における営業戦略として、新台入替と称して店舗内の一部島（遊技機を複数台纏めて群としたもの）の遊技機を入れ替えることによって、顧客を呼び込むことが行われている。従来の管理システムでは、店舗内の遊技機の設置位置、すなわち台番号と、出玉データ、釘間隔データとを関連付けるようにしてあるため、新台入替によって遊技機を移動した場合には、その設置位置（台番号）のデータを変更する必要があった。
【０００４】
【特許文献１】
特開平８−８１９
【０００５】
【発明が解決しようとする課題】
上記の如く、従来の遊技機管理システムでは、釘間隔データと出玉データとの相関関係に基づいて営業戦略等を策定できるものの、営業戦略等によって設定された釘間隔設定値は、作業者が一覧表等を参照して釘間隔測定装置によって釘間隔を測定しながら設定していたから、設定作業には時間がかかるとともに、設定する遊技機、障害釘を間違うことも多く、効率的な管理ができないという問題があった。
【０００６】
又、従来の遊技機管理システムでは、遊技機の台番号と、出玉データ、釘間隔データとを関連付けるようにしていたため、遊技機を移動した場合には、その台番号のデータを変更する必要があるが、この際にデータ入力等を間違えた場合には、過去の出玉データ、釘間隔データ等の情報が引き継がれず、間違った情報に基づいて営業戦略等を策定してしまう虞れがあり、やはり、効率的な管理ができないという問題があった。
【０００７】
本発明は、かかる従来の問題点に鑑みて為されたものであり、その目的とするところは、設定すべき遊技機、障害釘を間違うことなく、釘間隔測定装置によって釘間隔を迅速にかつ確実に設定することができるとともに、遊技機を移動した場合にあっても、過去の出玉データ、釘間隔データ等の情報を確実に引き継ぐことができて、遊技機の効率的な管理を実現して、営業戦略等を策定するに資する遊技機管理システム及び釘間隔データ照合装置を提供することにある。
【０００８】
【課題を解決するための手段】
上記目的を達成するために、本発明は、遊技機に付された管理番号を検出する管理番号検出部と、遊技機の遊技盤に配設された障害釘の間隔を測定する釘間隔測定部と、からなる釘間隔測定装置と、前記管理番号検出部によって検出された管理番号データ、前記釘間隔測定部によって測定された釘間隔データを記憶するとともに、後記中央管理制御装置から取得して記憶した管理番号データ、釘間隔推奨値データと照合し、画面に所定表示をすることによって釘間隔が釘間隔推奨値を基準として許容範囲内になるよう指令する釘間隔データ照合装置と、遊技店の所定場所に設置されて、複数の遊技機から構成される島を管理する各中間管理制御装置と種々データを送受信するとともに、管理番号データ、釘間隔データ、各遊技機の出玉データ等を記憶し、これらを演算、処理する中央管理制御装置と、から遊技機管理システムを構成したことを特徴とする。
【０００９】
ここで、前記管理番号は、２次元コードによって表記され、管理番号シールに印刷されたものであってもよい。又、前記管理番号は、ＲＦＩＤタグに記憶されたものであってもよい。
【００１０】
前記釘間隔データ照合装置と前記中央管理制御装置とのデータの遣り取りは、通信によって行うようにしてもよい。
【００１１】
又、前記釘間隔データ照合装置と前記中央管理制御装置とのデータの遣り取りは、メモリカードを介して行うようにしてもよい。
【００１２】
本発明は、又、釘間隔測定装置によって検出された管理番号データ、釘間隔測定装置によって測定された釘間隔データを記憶するとともに、中央管理制御装置から取得して記憶した管理番号データ、釘間隔推奨値データと照合し、画面に所定表示をすることによって釘間隔が釘間隔推奨値を基準として許容範囲内になるよう指令する釘間隔データ照合装置を構成したものである。
【００１３】
【発明の実施の形態】
以下、本発明の遊技機管理システムの好適な実施形態について、図面を参照して詳細に説明する。
【００１４】
本発明の遊技機管理システム１は、図１、図２及び図７に示すように、釘間隔測定装置２、釘間隔データ照合装置３、中央管理制御装置４、入力装置５及び出力装置６とから構成される。
【００１５】
釘間隔測定装置２は、図１、図５及び図６に示すように、管理番号検出部７と針間隔測定部８とからなる。
【００１６】
管理番号検出部７は、図３に示すように、遊技機９の遊技盤１０の適宜部所に貼付された管理番号シール１１に印刷された管理番号Ａを検出するものであり、検出器１２としては、図１、図５及び図６に示すように、ＣＣＤセンサーを採用してある。
ここで、管理番号Ａとは、各遊技機９に固有の番号であって、例えば、製造番号を採用することができ、管理番号Ａは、バーコード、２次元コード等によって表記してある。
又、ＲＦＩＤ（Ｒａｄｉｏ  Ｆｒｅｑｕｅｎｃｙ−ＩＤｅｎｔｉｆｉｃａｔｉｏｎ：電波方式認識）タグに管理番号Ａを記憶させ、この管理番号Ａをリードライトアンテナによって検出、認識するようにしてもよい。
【００１７】
釘間隔測定部８は、図４に示すように、遊技機９の遊技盤１０に配設された障害釘１３，１３の間隔Ｄを測定するものであり、図１、図５及び図６に示すように、レバー１４によってロッド１５，１５を移動させ、それらの先端部を障害釘１３，１３の内側に当接させることによって釘間隔Ｄを測定する。
パチンコ玉の平均直径は１１．００ｍｍであるので、釘間隔Ｄとしては、１１．００ｍｍ以上の適宜数値に設定する。ここでは、１／１００ｍｍ単位で数値を設定できるようになっている。
【００１８】
釘間隔測定装置２には、表示パネル１６、転送ボタン１７を設けてあり、管理番号検出部７によって検出された管理番号Ａ、釘間隔測定部８によって測定された障害釘１３，１３の間隔Ｄは、表示パネル１６に数値表示等されるようになっている。そして、転送ボタン１７を押下することによって、管理番号データ、釘間隔データは、釘間隔データ照合装置３に転送されるようになっている。
【００１９】
釘間隔データ照合装置３は、図１に示すように、釘間隔測定装置２の管理番号検出部７によって検出された管理番号データ、釘間隔測定部８によって測定された釘間隔データを記憶するものである。
又、中央管理制御装置４からメモリカード１８に記憶させた種々データを読み込み、管理番号データ、釘間隔データと照合したり、表示パネルに所定表示をすることによって、釘間隔Ｄが許容範囲内になるよう調整するものである。
【００２０】
中央管理制御装置４は、図２に示すように、遊技店５１の所定場所に設置されて、複数の遊技機９，９，・・・から構成される島５２を管理する各中間管理制御装置５３と種々データの送受信をするものである。
又、中央管理制御装置４は、管理番号データ、釘間隔データ、中間管理制御装置５３から送信されてくる各遊技機９の出玉データ等、種々データを記憶するとともに、これらを演算、処理するものである。
【００２１】
入力装置５は、中央管理制御装置４へ種々データを入力したり、種々指令を入力したりするものである。
出力装置６は、中央管理制御装置４によって演算、処理された種々データを画面表示したり、印字出力したりするものである。
【００２２】
次に、本発明の遊技機管理システム１の作用について、図７乃至図１８を参照して、登録作業、調整作業の手順及び種々データの送受信を示しつつ詳細に説明する。
【００２３】
先ず、作業者は、図１１に示すように、釘間隔データ照合装置３のメニューボタン１９を押下して、釘間隔調整プログラムを起動させ、表示パネル２０に初期画面を表示させる。
次に、図１２に示す画面が自動的に表示されたら、作業者の所持するＩＤカード２１に印刷された二次元コードを釘間隔測定装置２の検出器１２によって読み取る。
これによって、図１３に示す画面が表示されるので、画面に表示されたテンキー２２を押下して、作業者に割り当てられたパスワードを入力する。以上で、ＩＤ、パスワード照合操作が完了する。
【００２４】
ＩＤ、パスワード照合操作が完了すると、釘間隔データ照合装置３の表示パネル２０には、図１４に示すように、管理番号表示画面が表示される。
そこで、作業者は、画面に表示された適宜管理番号キー２３を押下し、釘間隔測定装置２及び釘間隔データ照合装置３を携帯して、その管理番号に対応する遊技機９まで行く。
そして、遊技盤１０に貼付された管理番号シール１１に印刷された管理番号Ａを管理番号検出部７の検出器１２によって読み取り、調整する遊技機９であるか否かを確認する。
この時、対応する遊技機９でない場合には、遊技機９が相違する旨の音声ガイドが発生するようになっている。
【００２５】
対応する遊技機９であった場合には、図１５に示すように、釘間隔データ照合装置３の表示パネル２０には、遊技盤表示画面が表示される。
ここで、適宜障害釘１３，１３の番号を選択、押下した後、釘間隔測定部８のロッド１５，１５を移動させ、それら先端部を障害釘１３，１３の内側に当接させて、釘間隔Ｄを測定する。
すると、釘間隔データ照合装置３の表示パネル２０には、図１６に示すように、釘間隔の測定位置、推奨値、測定値が表示されるので、障害釘１３，１３をハンマー等によって叩いて、釘間隔Ｄが推奨値を基準にして許容範囲内になるよう設定する。
【００２６】
全ての障害釘１３について、釘間隔Ｄを設定し、測定し終えたら、図１７に示すように、「次へ進む」ボタンを押下して、図１４に示す管理番号表示画面に戻り、他の遊技機９の管理番号を選択する。
上記と同様にして、遊技店５１内の全ての遊技機９について、釘間隔測定装置２によって管理番号Ａを検出し、障害釘１３，１３の間隔Ｄを測定する。
【００２７】
そして、図１８に示すように、釘間隔データ照合装置３と中央管理制御装置４とをケーブルにより接続することによって、釘間隔データ照合装置３から中央管理制御装置４に直接通信することによって、又は、中央管理制御装置４にメモリカード１８を挿入することによって、遊技店５１内の全ての遊技機９に関する管理番号データ、釘間隔データを中央管理制御装置４に送信又は入力し、記憶させる。
【００２８】
一方、各中間管理制御装置５３は、各島５２を構成する複数の遊技機９，９，・・・から出玉データ等の種々データを受信し、中央管理制御装置４へと送信するので、中央管理制御装置４にはこれら種々データも記憶される。
【００２９】
中央管理制御装置４は、以上のようにして得た各遊技機９の管理番号データ、釘間隔データ、出玉データ等の種々データを基に、又、入力装置５から入力されてくる種々データを基に、種々の演算、処理を実行する。
【００３０】
そして、中央管理制御装置４によって、各遊技機９について釘間隔データと出玉データとの相関関係が把握され、責任者は、各遊技機９の出玉率を適宜設定するとともに、適宜遊技機９を移動することによって、遊技店５１の営業戦略等を策定、実現する。
【００３１】
この営業戦略に基づいて、中央管理制御装置４は、各遊技機９について釘間隔推奨値を演算し、メモリカード１８に管理番号データと釘間隔推奨値データとを対応させて記憶させる。
【００３２】
作業者は、再度、遊技店５１内の全て又は適宜遊技機９について、釘間隔測定装置２の管理番号検出部７によって管理番号Ａを検出し、釘間隔データ照合装置３に挿入したメモリカード１８に記憶された管理番号データと照合し、対応する釘間隔推奨値データを画面に表示させる。
そして、各遊技機９について、障害釘１３，１３をハンマー等によって叩き、釘間隔測定装置２の釘間隔測定部８によって釘間隔Ｄを測定しつつ、釘間隔データ照合装置３によって釘間隔Ｄが釘間隔推奨値を基準にして許容範囲内になるよう設定していく。
【００３３】
以上のように、本発明の遊技機管理システム１によれば、作業者が一々一覧表等を参照して釘間隔Ｄを測定する必要はなく、釘間隔データ照合装置３に挿入したメモリカード１８に記憶された釘間隔設定値データを画面に表示させつつ、釘間隔調整作業を行うから、調整すべき遊技機９、障害釘１３，１３を間違うことはなく、釘間隔Ｄを迅速にかつ確実に調整することができる。
【００３４】
又、本発明の遊技機管理システム１においては、遊技機９の管理番号Ａと、出玉データ、釘間隔データとを関連付けるようにしたから、遊技機９を移動した場合にあっても、その台番号のデータを変更する必要はなく、過去の出玉データ、釘間隔データ等の情報を確実に引き継ぐことができて、遊技機９の効率的な管理を実現することができる。
【図面の簡単な説明】
【図１】本発明の遊技機管理システムの構成要素を示す構成概念図である。
【図２】本発明の遊技機管理システムが適用される遊技店の概略平面図である。
【図３】複数の遊技機から構成される島の一部を示す正面図である。
【図４】遊技機の遊技盤の一部を示す正面図である。
【図５】釘間隔測定装置の正面から視た斜視図である。
【図６】釘間隔測定装置の背面から視た斜視図である。
【図７】本発明の遊技機管理システムの作用を示すフロー図である。
【図８】本発明の遊技機管理システムの作用を示すフロー図である。
【図９】本発明の遊技機管理システムの作用を示すフロー図である。
【図１０】本発明の遊技機管理システムの作用を示すフロー図である。
【図１１】釘間隔データ照合装置の画面表示を示す正面図である。
【図１２】釘間隔データ照合装置の画面表示を示す正面図である。
【図１３】釘間隔データ照合装置の画面表示を示す正面図である。
【図１４】釘間隔データ照合装置の画面表示を示す正面図である。
【図１５】釘間隔データ照合装置の画面表示を示す正面図である。
【図１６】釘間隔データ照合装置の画面表示を示す正面図である。
【図１７】釘間隔データ照合装置の画面表示を示す正面図である。
【図１８】釘間隔データ照合装置の画面表示を示す正面図である。
【符号の説明】
１  遊技機管理システム
２  釘間隔測定装置
３  釘間隔データ照合装置
４  中央管理制御装置
５  入力装置
６  出力装置
７  管理番号検出部
８  釘間隔測定部
９  遊技機
１０  遊技盤
１１  管理番号シール
１３  障害釘
１８  メモリカード
５１  遊技店
５２  島
５３  中間管理制御装置
Ａ  管理番号
Ｄ  釘間隔
【図１】
2004254778.tif 000003
【図２】
2004254778.tif 000004
【図３】
2004254778.tif 000005
【図４】
2004254778.tif 000006
【図５】
2004254778.tif 000007
【図６】
2004254778.tif 000008
【図７】
2004254778.tif 000009
【図８】
2004254778.tif 000010
【図９】
2004254778.tif 000011
【図１０】
2004254778.tif 000012
【図１１】
2004254778.tif 000013
【図１２】
2004254778.tif 000014
【図１３】
2004254778.tif 000015
【図１４】
2004254778.tif 000016
【図１５】
2004254778.tif 000017
【図１６】
2004254778.tif 000018
【図１７】
2004254778.tif 000019
【図１８】
2004254778.tif 000020